(57)【要約】      （修正有）【課題】指に負担をかけることなく、堅い板やボードにも、安全に画鋲を押し込むことができる画鋲パンチを提供する。【解決手段】一端が凸の曲面、他端が平面状面の鼓状であって、平面状端部６の中央部に、画鋲１の針部を外に向けた状態で保持する固定部を有する画鋲パンチ４に、画鋲１を画鋲パンチ４に対して針部が外向きになるように保持し、固定する掲示物に針部が突き通った状態で画鋲１を対象とする板に押し込み、その後、画鋲１を板に残して、画鋲パンチ４を板より離す。【選択図】図３
0003174617.tif 000002
【実用新案登録請求の範囲】
【請求項１】
一端が凸の球面、他端が平面状の鼓状であって、平面状端の中央部に画鋲の針を外に向けた状態で保持する固定部を有することを特徴とする画鋲パンチ。
【請求項２】
請求項１に記載の画鋲パンチにおいて、上記した固定部に磁石を用いたことを特徴とする画鋲パンチ。
【請求項３】
請求項１に記載の画鋲パンチにおいて、上記した固定部が、画鋲を保持するための凹部に有することを特徴とする画鋲パンチ。
【考案の詳細な説明】
【技術分野】
【０００１】
本考案は画鋲を板に固定するための画鋲固定具に関するものである。本考案において画鋲パンチと称することとする。
【背景技術】
【０００２】
掲示板に、お知らせのチラシや、ポスター等を画鋲で掲示する場合、画鋲を取り出し、軽く押し込んで位置決めを行い、さらに強く押し込んで固定する方法が取られる。この場合、画鋲を押し込む板やボードが柔らかい材質の場合には、大きな押し込み力は必要でないが、固定する力が小さく、掲示するポスター等の重量が大きい場合は、抜けて落ちることが多い。
【０００３】
一方、堅い板に画鋲を押し込む場合に、十分な深さまで押し込むには、かなりの力が必要であり、子供や女性、お年寄りが画鋲を押し込む場合には、多くの場合において、十分な固定ができない。また、この作業では、しばしば指がいたくなることも大きな問題である。
【０００４】
画鋲を板に押し込む器具については、幾つかの技術が提案されているが、それらの多くは、能率的に多数の画鋲を押し込む技術に関するものである。しかし、団地や学校の掲示板にポスターを固定するなどの多くの場合、１個ずつ画鋲を画鋲入れから取り出し、押し込めば十分であり、連続して多数の画鋲を押し込む技術はそれほど必要ではない。
【考案の概要】
【考案が解決しようとする課題】
【０００５】
従来は、画鋲を掲示板等に押し込む場合は、直接、指で押し込む必要があり、押し込む板等が堅い場合や、多数の掲示物を掲示する場合には指が痛くなる問題があった。また、押し込む力が小さい場合には、画鋲を十分に押し込むことができないため、すぐに外れることがあった。特に、子供や女性、お年寄りが画鋲を押し込む場合に問題になるが、実際には、これらの方々が作業する場合もしばしばみられる。これらの問題点を解決するため、指に負担をかけることなく、堅い板やボードにも、安全に画鋲を押し込むことできる画鋲パンチが求められている。
【課題を解決するための手段】
【０００６】
本考案は、上記した課題を解決するもので、一端が凸の曲面、他端が平面状の鼓状であって、平面状端の中央部に画鋲の針を外に向けた状態で保持する固定部を有することを特徴とする画鋲パンチである。
また、前記の画鋲パンチにおいて、前記した固定部に磁石を配したことを特徴とする画鋲パンチである。
また、前記の画鋲パンチにおいて、前記した固定部が、画鋲を保持するための凹部に有することを特徴とする画鋲パンチである。
【考案の効果】
【０００７】
本考案より、画鋲により掲示物を止める場合、画鋲を指で押す必要がなくなり、指が痛くなることはない。本考案は、子共、女性、お年寄りが画鋲を押し込む場合に特に有効である。
【図面の簡単な説明】
【０００８】
【図１】画鋲の1例を示す斜視図
【図２】本発明の第１の実施例の画鋲パンチの長手方向の断面図
【図３】本発明の第１の実施例の画鋲パンチに画鋲を装着した図
【図４】本発明の第１の実施例の画鋲パンチに画鋲を装着した他の図
【図５】本発明の第２の実施例の画鋲パンチの長手方向の断面図
【図６】本発明の第２の実施例の画鋲パンチに画鋲を装着した他の図
【図７】画鋲の他の1例を示す斜視図
【図８】本発明の第３の実施例の画鋲パンチの長手方向の断面図
【図９】本発明の第３の実施例の画鋲パンチに画鋲を装着した他の図
【図１０】画鋲の他の1例を示す斜視図
【図１１】本発明の第４の実施例の画鋲パンチの長手方向の断面図
【図１２】本発明の第４の実施例の画鋲パンチに画鋲を装着した図
【図１３】画鋲の他の1例を示す斜視図
【図１４】本発明の第５の実施例の画鋲パンチの長手方向の断面図
【図１５】本発明の第５の実施例の画鋲パンチに画鋲を装着した図
【図１６】本発明の第５の実施例の画鋲パンチに画鋲を装着した他の図
【考案を実施するための形態】
【０００９】
以下、本考案の実態の形態を説明する。本考案は、画鋲を板（ボード）に押し込む画鋲パンチに関するものである。また、本考案は、画鋲を一つづつ、板に押し込む画鋲パンチに関するものである。
【実施例１】
【００１０】
画鋲（１）は、図１に示すように押しこむ力を受ける円盤部（２）と、円盤部が受けた力により板の内部に侵入する針部（３）よりなる。もっとも普及している画鋲（１）は、円盤部（２）、針部（３）ともに鉄製であり、磁石に吸着させることができる。
【００１１】
図２に本考案の第１の実施例を示す。この図は画鋲パンチ（４）を長さ方向に中心線を含む面で切断した図である。画鋲パンチ（４）は、凸の曲面状端部（５）、平面状端部（６）を有する鼓状の握持可能な形状である。平面状端部（６）の中央部の固定部（７）に凹部（８）が設けられており、磁石（９）が固定されている。この磁石（９）の形状は円盤状であり、その直径は画鋲（１）の円盤部（２）の直径と略、同程度である。大きすぎると画鋲（１）の固定位置がずれる場合がある。小さすぎると固定が不安定になる。なお、磁石（９）は固定部（７）に凹部（８）を設け、そこに埋め込んでいるが、凹部（８）を設けることなく、そのまま、接着剤等で固定しても良い。
【００１２】
凸の曲面状端部（５）は、画鋲（１）を固定する場合に画鋲（１）に押し込み力を付与する部位である。凸の曲面状端部（５）に手のひらの中央部を当て、押し込み力を画鋲（１）に与える。画鋲パンチ（４）の長さ方向中央部近傍の直径は両端部に比較してやや小さくしており、全体として鼓型になるように加工している。画鋲パンチ（４）の長手方向の平面状端部（６）側の直径が大きくなる部位に指を当てることにより、画鋲（１）を正しい方向に押し込むことができる。
【００１３】
画鋲パンチ（４）の材質には、木、樹脂（プラスチック）等が使用できるが、特に規定する必要はない。例えば、高級品は木製、普及品はプラスチックを使用することも考えられる。木製の場合はそのまま置物としても良い。本実施例では木製とし、こけし人形をイメージした。なお、磁石（９）の吸着力は画鋲（１）の重量を保持するに十分な大きさがあれば良く、強力なものは必要でない。
【００１４】
図３に、画鋲（１）を画鋲パンチ（４）に装着した状態を示す。画鋲パンチ（４）は、長さ方向に中心線を含む面で切断した図であるが、画鋲（１）は断面図ではなく、外観である。
【００１５】
図４は画鋲（１）を画鋲パンチ（４）に装着した状態の平面状端部（６）側から見た図である
【実施例２】
【００１６】
図５に図１に示した画鋲（１）を押し込むための、本考案の第２の実施例を示す。この図は画鋲パンチ（４）を長さ方向に中心線を含む面で切断した図である。平面状端部（６）の中央部の固定部（７）の凹部（８）の深さが深く、磁石（９）は凹部（８）の中の深い位置にあり、平面状端部（６）側に円形の凹部が形成されている。
【００１７】
図６には、画鋲（１）を画鋲パンチ（４）に装着した状態を示す。画鋲パンチ（４）は、長さ方向に中心線を含む面で切断した図であるが、画鋲（１）は断面図ではなく、外観である。この場合は円盤部（２）は画鋲パンチ（４）の中に入っている。画鋲（１）を画鋲パンチ（４）に装着した状態の平面状端部（６）側から見た図は、図４と同じである
【実施例３】
【００１８】
図７に示す画鋲（１）においては、円盤部（２）が樹脂製である。この場合も針部（３）は鉄製である。円盤部（２）が非磁性の画鋲（１）の場合は、画鋲（１）を磁石（９）により保持することができない。
また、円盤部（２）が鉄製であっても、例えば、平面状でなく凸状の場合は、磁石（９）で画鋲パンチ（４）の中心線と画鋲（１）の中心線、すなわち、針（３）が同一線上になるように、保持することが困難な場合もある。
【００１９】
第8図に示す第３の実施例においては、画鋲パンチ（４）の平面状端部（６）の中央の固定部（７）に、画鋲（１）を保持可能な凹部（８）を設けた。針部（１）は画鋲パンチ（４）の中心線とほぼ同一の直線上に乗る必要があるため、凹部（８）の内径が大きすぎては、画鋲（１）を目的とする状態で保持することができない。一方、凹部（８）の内径が円盤部（２）の外径と殆ど差がない場合は、画鋲（１）を凹部（８）に挿入することが困難になる。固定性、作業性のいずれも良好な状態にするためには、凹部（８）の内径を画鋲（１）の外径よりやや大きくし、凹部（８）の内部に円筒形、もしくはリング状のゴム等の弾性体（１０）を配置する。この場合、画鋲（１）を挿入しない状態での弾性体（１０）の内径は、円盤部（２）の外径より小さくし、画鋲（１）の針部（３）の中心線が画鋲パンチ（４）の中心線に一致して固定されるようにする。
【００２０】
図９には、画鋲（１）を画鋲パンチ（４）に装着した状態を示す。画鋲パンチ（４）は、長さ方向に中心線を含む面で切断した図であるが、画鋲（１）は断面図ではなく、外観である。円盤部（２）は画鋲パンチ（４）の中に入っている。画鋲（１）を画鋲パンチ（４）に装着した状態の平面状端部（６）側から見た図は、図４と同じである
【実施例４】
【００２１】
図１０に示すような画鋲（１）では、押しこむ力を受ける部位を、円盤部（２）とは言いにくいため、以後は受力部（１１）と称する。この受力部（１１）の直径は針部（３）側が大きく、針部から遠ざかるにしたがって細くなり、端部ではふたたび、やや大きくなる形状である。受力部（１１）の材質は、プラスチックの場合が多い。
【００２２】
図１１に本考案の第４の実施例を示す。図１１では、画鋲パンチ（４）を長さ方向に中心線を含む面で切断した図である。凹部（８）の内径を画鋲（１）の外径よりやや大きくし、内部に円筒形、もしくはリング状のゴム等の弾性体（１０）を配置している。この場合、画鋲（１）を挿入しない状態での弾性体（１０）の内径は、円盤部（２）の外径より小さくし、画鋲（１）の針部（３）の中心線が画鋲パンチ（４）の中心線に一致して固定されるようにする。
【００２３】
図１２には、画鋲（１）を画鋲パンチ（４）に装着した状態を示す。画鋲パンチ（４）は、長さ方向に中心線を含む面で切断した図であるが、画鋲（１）は断面図ではなく、外観である。画鋲（１）を画鋲パンチ（４）に装着した状態の平面状端部（６）側から見た図は、図４とほぼ等しい
【実施例５】
【００２４】
受力部（１１）は通常は略円筒状であるが、図１３に示す画鋲（１）では、受力部（１１）は凹凸のあるもの、花弁状のもの等、装飾性に富んだ形状のものである。
図１４に本考案の第５の実施例を示す。凹部（８）の内径を画鋲（１）の外径よりやや大きくし、内部に円筒形、もしくはリング状のゴム等の弾性体（１０）を配置する。この場合、画鋲（１）を挿入しない状態での弾性体（１０）の内径は、受力部（１１）の外径より小さくし、画鋲（１）の針部（３）の中心線が画鋲パンチ（４）の中心線に一致して固定されるようにする。凹部（８）の深さは受力部（１１）の高さ（厚さ）にほぼ等しくなるようにする。
【００２５】
図１５には、画鋲（１）を画鋲パンチ（４）に装着した状態を示す。画鋲パンチ（４）は、長さ方向に中心線を含む面で切断した図であるが、画鋲（１）は断面図ではなく、外観である。画鋲（１）の受力部（１１）は、ほぼ、凹部（８）に埋れた状態である。
【００２６】
図１６は画鋲（１）を画鋲パンチ（４）に装着した状態の平面状端部（６）側から見た図である。
【産業上の利用可能性】
【００２７】
本考案による画鋲パンチは、これまで、使いにくいとされてきた画鋲の使用範囲を拡大するものである。また、本考案の実施により、木工製品の新しい展開が期待できる。これまで廃棄物として捨てられていた木材小片を利用できることの意味も大きい。
【符号の説明】
【００２８】
（１）画鋲
（２）円盤部 
（３）針部
（４）画鋲パンチ
（５）凸の曲面状端部
（６）平面状端部
（７）固定部
（８）凹部
（９）磁石
（１０）弾性体
（１１）受力部
【図１】
0003174617.tif 000003
【図２】
0003174617.tif 000004
【図３】
0003174617.tif 000005
【図４】
0003174617.tif 000006
【図５】
0003174617.tif 000007
【図６】
0003174617.tif 000008
【図７】
0003174617.tif 000009
【図８】
0003174617.tif 000010
【図９】
0003174617.tif 000011
【図１０】
0003174617.tif 000012
【図１１】
0003174617.tif 000013
【図１２】
0003174617.tif 000014
【図１３】
0003174617.tif 000015
【図１４】
0003174617.tif 000016
【図１５】
0003174617.tif 000017
【図１６】
0003174617.tif 000018